(57)【要約】【課題】  処理機能毎に優先モードの変更を可能にし且つ変更が安易に行われないようにする。【解決手段】  ＦＡＸ送信時の原稿読取りにおいて、大量原稿処理モードは先優先、ＳＡＤＦ処理モードは後優先の優先権を有している。ＳＡＤＦ処理モードを先優先に変更するとき、制御部は変更手続を表す画面1乃至１８を表示しユーザーに所定の操作を求める。画面９の表示時点でメッセージにより１回目の戻るキーの操作を求め、操作されると画面１０乃至１３が表示される。画面１３を表示したとき、２回目の戻るキー操作を求め、操作されると画面１４乃至１８が表示される。画面１３の表示時点でＳＡＤＦ処理モードの後優先コードは先優先コードに書替えられ、画面１７で設定できない旨の表示画面とし、画面１８でＳＡＤＦ処理モードは先優先に変更された画面となる。【選択図】    図６
2006087047.tif 000002
【特許請求の範囲】
【請求項１】
同一の処理における複数の処理態様のうち一つの処理態様が実行可能な画像形成装置であって、予め設定された処理態様を他の処理態様に優先して実行する画像形成装置において、
前記優先して実行すべき処理態様を同一の処理における他の処理態様に変更する手段を備え、該変更手段は、所定の変更操作が行われたとき、前記優先して実行すべき処理態様を他の処理態様に変更することを特徴とする画像形成装置。
【請求項２】
請求項１記載の画像形成装置において、前記優先して実行すべき処理態様を同一の処理における他の処理態様に変更する手段は、
最初に設定された処理態様を優先する前優先を最後に設定された処理態様を優先する後優先又は、最後に設定された処理態様を優先する後優先を最初に設定された処理態様を優先する先優先に変更することを特徴とする画像形成装置。
【請求項３】
請求項１又は２記載の画像形成装置において、前記優先して実行すべき処理態様を同一の処理における他の処理態様に変更する手段は、同一の変更操作を繰返し行われたとき、前記優先して実行すべき処理態様を他の処理態様に変更することを特徴とする画像形成装置。
【請求項４】
請求項1乃至３のいずれかに記載の画像形成装置において、前記同一の処理は原稿読取り処理であることを特徴とする画像形成装置。
【請求項５】
請求項１乃至４のいずれかに記載の画像形成装置において、前記複数の処理態様は、自動原稿送り装置にセット可能な原稿枚数を超えて追加原稿がセットされたとき、該追加原稿を自動的に読取り開始する処理態様、及び前記追加原稿を手動操作により読取り開始する処理態様であることを特徴とする画像形成装置。
【発明の詳細な説明】
【技術分野】
【０００１】
本発明は、最後に入力された処理機能を無効にし、最初に入力された処理機能を有効にする先優先モードと、最後に入力された処理機能を有効にし、最初に入力された処理機能を無効にする後優先モードを切替える手段を有する画像形成装置に関する。
【背景技術】
【０００２】
近年、ＯＡ機器の設置空間を有効に活用できるようにするためにデジタル複写機において、複写機周囲の２方向から入力、原稿設定等の操作を行うようにしたものがある。このように２方向からそれぞれ入力、原稿読取り設定等の処理機能の設定操作が行われる場合、該操作により設定される処理機能を順情報とともに記憶し、当該操作の設定に基いた動作が終了後、先に設定された設定情報により画像処理を行う、いわゆる先優先モードにより画像処理を行うデジタル複写機が知られている（特許文献１参照）。
【０００３】
一方、刊行物に記載された発明ではないが、当該機器のあらゆる処理機能を、最後に入力された処理機能を有効にし、初期入力された処理機能を無効にする、いわゆる後優先モードとし画像処理を行うデジタル複写機も知られている。
【０００４】
処理機能が先優先モード又は後優先モードのいずれのモードで設定されるかは、異なる製造会社の製品間でばらつきがあり、また同一製造会社の製品間でもばらついているのが実状である。このためユーザーはメーカー或いは機種に応じて処理機能の優先モード状況を認識、使い分ける必要があり、操作性の観点から不便があった。
【特許文献１】特開平５−２１６３１４号公報
【発明の開示】
【発明が解決しようとする課題】
【０００５】
本発明は、このような実状に鑑みなされたもので、処理機能ごとにユーザーが使用し易いように処理機能の優先モードを変更可能できるようにするとともに、その変更が安易に行われると却って処理機能がどの優先モードに設定されているか分からなくなり、使い勝手が悪くことから優先モードの変更が安易に行われないようにすることを目的とする。
【課題を解決するための手段】
【０００６】
請求項１の発明は、同一の処理における複数の処理態様のうち一つの処理態様が実行可能な画像形成装置であって、予め設定された処理態様を他の処理態様に優先して実行する画像形成装置において、前記優先して実行すべき処理態様を同一の処理における他の処理態様に変更する手段を備え、該変更手段は、所定の変更操作が行われたとき、前記優先して実行すべき処理態様を他の処理態様に変更することを特徴とする画像形成装置である。
請求項２の発明は、請求項１記載の画像形成装置において、前記優先して実行すべき処理態様を同一の処理における他の処理態様に変更する手段は、最初に設定された処理態様を優先する前優先を最後に設定された処理態様を優先する後優先又は、最後に設定された処理態様を優先する後優先を最初に設定された処理態様を優先する先優先に変更することを特徴とする画像形成装置である。
請求項３の発明は、請求項１又は２記載の画像形成装置において、前記優先して実行すべき処理態様を同一の処理における他の処理態様に変更する手段は、同一の変更操作を繰返し行われたとき、前記優先して実行すべき処理態様を他の処理態様に変更することを特徴とする画像形成装置である。
請求項４の発明は、請求項1乃至３のいずれかに記載の画像形成装置において、前記同一の処理は原稿読取り処理であることを特徴とする画像形成装置である。
請求項５の発明は、請求項１乃至４のいずれかに記載の画像形成装置において、前記複数の処理態様は、自動原稿送り装置にセット可能な原稿枚数を超えて追加原稿がセットされたとき、該追加原稿を自動的に読取り開始する処理態様、及び前記追加原稿を手動操作により読取り開始する処理態様であることを特徴とする画像形成装置である。
【発明の効果】
【０００７】
本発明によれば、処理機能ごとに優先モードが変更できるとともに、そのとき変更操作を煩雑化しているので、優先モードが安易に変更されることがなくなり処理機能の使い勝手が悪くなるのを防止できる。
【発明を実施するための最良の形態】
【０００８】
以下、本発明の実施形態を図面を参照して説明する。
はじめに、本発明が実施される複合機として機能するデジタル複写機について説明する。
図１は、本発明が適用されるデジタル複写機の中央部断面構成図である。図１において、自動原稿送り装置（以後ＡＤＦ）１にある、原稿台２に原稿の画像面を上にして置かれた原稿束は、操作部３０上のプリントキー３４が押下されると、一番下の原稿から給送ローラ３、給送ベルト４によってコンタクトガラス６上の所定の位置に給送される。一枚の原稿の給送完了により原稿枚数をカウントアップするカウント機能を有している。給送された原稿は読取りユニット５０によってコンタクトガラス６上の原稿の画像データを読取り後、読取りが終了した原稿は、給送ベルト４及び排送ローラ５によって排出される。さらに、原稿セット検知器７にて原稿台２に次の原稿が有ることを検知した場合、前原稿と同様にコンタクトガラス６上に給送される。給送ローラ３、給送ベルト４、排送ローラ５は搬送モータ２６によって駆動される。第１トレイ８、第２トレイ９、第３トレイ１０に積載された転写紙は、各々第１給紙装置１１、第２給紙装置１２、第３給紙装置１３によって給紙され、縦搬送ユニット１４によって感光体１５に当接する位置まで搬送される。読取りユニット５０にて読込まれた画像データは、書込みユニット５７からのレーザによって感光体１５に書込まれ、現像ユニット２７を通過することによってトナー像が形成される。そして、転写紙は感光体１５の回転と等速で搬送ベルト１６によって搬送されながら、感光体１５上のトナー像が転写される。その後、定着ユニット１７にて画像を定着させ、排紙ユニット１８によって後処理装置のフィニシャ１００に排出される。
【０００９】
後処理装置のフィニシャ１００は、本体の排紙ローラによって搬送された転写紙を、通常排紙ローラ１０２方向と、ステープル処理部方向へ導くことができる。切替板１０１を上に切替えることにより、搬送ローラ１０３を経由して通常排紙トレイ１０４側に排紙することができる。また、切替板１０１を下方向に切替えることで、搬送ローラ１０５、１０７を経由して、ステープル台１０８に搬送することができる。ステープル台１０８に積載された転写紙は、一枚排紙されるごとに紙揃え用のジョガー１０９によって、紙端面が揃えられ、一部のコピー完了と共にステープラ１０６によって綴じられる。ステープラ１０６で綴じられた転写紙群は自重によって、ステープル完了排紙トレイ１１０に収納される。
【００１０】
一方、通常の排紙トレイ１０４は前後に移動可能な排紙トレイである。前後に移動可能な排紙トレイ部１０４は、原稿毎、あるいは、画像メモリによってソーティングされたコピー部毎に、前後に移動し、簡易的に排出されてくるコピー紙を仕分ける。転写紙の両面に画像を作像する場合は、各給紙トレイ８〜１０から給紙され作像された転写紙を排紙トレイ１０４側に導かないで、経路切替えのための分岐爪１１２を上側にセットすることで、一旦両面給紙ユニット１１１にストックする。
【００１１】
その後、両面給紙ユニット１１１にストックされた転写紙は再び感光体１５に作像されたトナー画像を転写するために、両面給紙ユニット１１１から再給紙され、経路切替えのための分岐爪１１２を下側にセットし、排紙トレイ１０４に導く。この様に転写紙の両面に画像を作成する場合に両面給紙ユニット１１１は使用される。感光体１５、搬送ベルト１６、定着ユニット１７、排紙ユニット１８、現像ユニット２７はメインモータ２５によって駆動され、各給紙装置１１〜１３はメインモータ２５の駆動を各々給紙クラッチ２２〜２４によって伝達駆動される。縦搬送ユニット１４はメインモータ２５の駆動を中間クラッチ２１によって伝達駆動される。また、装置内で異常をユーザーに知らせなければならない部分には、異常を検知するセンサーが設置されている。
【００１２】
図２は、操作部を示す図であり、図中、操作部３０には、液晶タッチパネル３１、テンキー３２、クリア／ストップキー３３、スタートキー３４、予熱キー３５、リセットキー３６、初期設定キー３７、印刷キー３８、送信キー３９、保存キー４０、ファクシミリキー４１があり、液晶タッチパネル３１には、入出力形式の選択キー、機能設定キー、戻るキー、矢印キー、ＯＫキー、処理機能の状態、メッセージなどが表示される。
【００１３】
初期設定キー３７を押すことにより複写機の初期状態を任意にカスタマイズすることが可能である。複写機が収納している用紙サイズを設定したり、コピー機能のモードクリアキーを押したときに設定される状態を任意に設定可能である。また、一定時間操作が無いときに優先して選択されるアプリケーション等も選択すること、国際エネルギースター計画に従った低電力への移行時間の設定や、オートオフ／スリープモードへの移行する時間を設定することが可能である。予熱キー３５を押すと、複写機は待機状態から、電力低減状態に移行し、定着温度を低下させたり、操作部の表示を消灯する。予熱状態は、国際エネルギースター計画で言う、低電力状態を意味している。また、予熱状態、オフ状態／スリープ状態を解除し、待機状態に移行させるには、この予熱キーを再度押下する。ファクシミリキー４１を押すことで通信画面が表示され、所定の事項について入力することにより後述する先後優先モードの変更画面を呼出し表示する。この他にも図示されていないが各種機能を設定するキーが用意されている。
【００１４】
図３は、操作部の液晶タッチパネルの表示例を示す図である。図３において、オペレータが液晶タッチパネル３１に表示されたキーにタッチすると、優先モードの変更画面が次々と表示され、所定のキー操作により優先モードの変更が可能になる。
【００１５】
再度図１を参照し、デジタル複写機の原稿読取りから画像の書込みまでを説明する。読取りユニット５０は、原稿を載置するコンタクトガラス６と光学走査系で構成されており、光学走査系には、露光ランプ５１、第１ミラー５２、レンズ５３、ＣＣＤイメージセンサ５４等々で構成されている。露光ランプ５１及び第１ミラー５２は図示しない第１キャリッジ上に固定され、第２ミラー５５及び第３ミラー５６は図示しない第１キャリッジ上に固定されている。原稿像を読取るときには、光路長が変わらないように、第１キャリッジと第２キャリッジとが２対１の相対速度で機械的に操作される。この光学走査系は、図示しないスキャナ駆動モータにて駆動される。原稿画像は、ＣＣＤイメージセンサ５４によって読取られ、電気信号に変換されて処理される。
【００１６】
書込みユニット５７はレーザ出力ユニット５８、結像レンズ５９、ミラー６０で構成され、レーザ出力ユニット５８の内部には、レーザ光源であるレーザダイオード及びモータによって高速で定速回転する多角形ミラー（ポリゴンミラー）が備わっている。
【００１７】
書込みユニット５７から出力されるレーザ光が、画像作像系の感光体１５に照射される。図示しないが感光体１５の一端近傍のレーザビームを照射される位置に、主走査同期信号を発生するビームセンサが配置されている。
【００１８】
図４は、図１のデジタル複写機の制御部のブロック構成図であり、図中、システムコントローラ２０１は、操作部コントローラ、周辺機コントローラ等の各種コントローラを介し、融合アプリケーションにより各種データのやり取りを制御している。また後述する優先モードの変更処理、この変更処理に伴う画面表示の変化を制御する。
【００１９】
次に、本発明の実施形態に係るデジタル複写機の機能設定の先優先モード及び後優先モードを変更する手法について図５乃至図１５を参照して詳細に説明する。
本実施形態では多機能型のデジタル複写機におけるファクシミリ送信時の大量原稿モード即ち、自動原稿送り装置（ＡＤＦ）にセット可能な枚数を超える原稿の場合に、一旦読取りを中断して原稿の継ぎ足しを可能とする機能であって、継ぎ足したい原稿をＡＤＦにセットした後、スタートキーを押下するとき、読取りを再開するモード及び、ＳＡＤＦモード即ち、自動原稿送り装置（ＡＤＦ）にセット可能な枚数を超える原稿の場合に、一旦読取りを中断して原稿の継ぎ足しを可能とする機能であって継ぎ足したい原稿をＡＤＦにセットすると、自動的に読取りを再開するモードの優先モードの変更について述べる。なお、優先モードを変更する例として、この他に、例えば後処理機能における各種機能の優先モードを変更する例などがある。
【００２０】
はじめに本発明の前提となる最も単純な先優先モードと後優先モードの変更について説明する。
【００２１】
図５は、後から設定されたＳＡＤＦモードを有効にし、先に設定された大量原稿モードを無効にする優先モード変更時の表示画面の変化を示す図である。
【００２２】
ここで、設定操作に伴う表示画面の変化は、各画面には、画面を一意に識別できるユニークな識別番号が付与されて、また各キーにも操作されたキーが一意に識別できるユニークな識別番号が付与されて記憶装置に記憶されているので、システムコントローラ２０１が予め搭載されたプログラムに基いてこれらの識別番号を管理することにより、一連の画面の呼出しと表示が実行される。なお、図５、図６、図１４の各画面番号は識別番号を示す。更に先優先モードと後優先モードを識別可能にする識別コードが用意され先優先モード及び後優先モードが一意に識別できるようになっている。
【００２３】
いまユーザーが図２の操作部でファクシミリキー４１を押下すると、液晶タッチパネル３１に図３の画面が表示される。この画面は優先モードの変更操作に基き図５に示す一連に画面に変化する。
図5において、まず通信操作画面１が表示され、ファクスできます、原稿をセット、宛先を指定の表示がなされるので、ユーザーはこの表示に従って操作を行い、拡張送信キーを押下すると、拡張送信操作画面２に変化する。画面２では、拡張送信設定メニューとして一旦大量原稿モードを設定するので、例えば反転表示されている大量原稿モードを確認してＯＫキーを押下する。この押下により、大量原稿モード設定画面３に変化する。画面３では大量原稿モードの、設定するが反転表示されているので、ＯＫキーを押下すると、大量原稿モード設定画面４に変化する。画面４では、大量原稿モードが設定されましたというメッセージを表示し、その２秒後に自動的に画面２と同じ拡張送信操作画面５が表示され、先に設定された大量原稿モードを有効にする。
【００２４】
次にユーザーは、ＳＡＤＦモードを先優先モードに設定するために画面５において、下矢印キーによりＳＡＤＦモードを選択すると、拡張送信画面６に変化する。画面６では、ＳＡＤＦモードが反転表示されているので、ＯＫキーを押下すると、ＳＡＤＦモード設定画面７に変化する。画面７では、ＳＡＤＦモードを設定しないが反転表示されているので、上矢印キーで設定する、を選択すると、ＳＡＤＦモード設定画面８に変化する。画面８では、ＳＡＤＦモードを設定する、が反転表示されているので、ＯＫキーを押下するとＳＡＤＦモード設定画面９に変化する。画面９では、同時に大量原稿ＯＦＦします、というメッセージを表示し、先に設定された大量原稿モードを無効にする。
【００２５】
その２秒後、ＳＡＤＦモード設定画面１０に変化し、ここで後から設定されたＳＡＤＦモードを有効にし、ＳＡＤＦモードが設定されましたというメッセージを表示する。更にその２秒後に自動的に拡張送信操作画面１１に変化し、画面１１ではＳＡＤＦモードが反転表示され、このように後から設定されたＳＡＤＦモードが優先する後優先モードとして設定される。
【００２６】
次に、本発明の実施形態に係るデジタル複写機の機能設定情報の先後優先モードを変更する手法を詳細に説明する。
図６は、後優先モードのＳＡＤＦモードを先優先モードに変更するときの画面変化を示す図である。
図６において、画面１から画面９までの変化は、図５の画面１から画面９にそれぞれ対応して同じであるので表示内容の説明は省略する。画面９が表示されるとき、液晶タッチパネルには、「ＳＡＤＦモードを先優先に設定するときは、戻るキーを押してください」というメッセージが表示されるので、ユーザーはこのメッセージに従って戻るキーを押下すると、システムコントローラ２０１は、画面９を最新の否定操作が行われたものとしてその画面番号を最新の否定操作テーブルに書込む。図７は、この最新の否定操作テーブルを示す図である。また最新の否定操作履歴テーブルが用意されており、この履歴テーブルにも最新の否定操作が行われたものとしての画面番号が書込まれる。
図８は、最新の否定操作履歴テーブルを示す図である。この否定操作履歴テーブルは先後優先モードのコード記憶欄を有しており、コード記憶欄に先優先モードのコードがｅＰＲＩＯＲＩＴＹ−ＦＩＲＳＴ、後優先モードのコードがｅＰＲＩＯＲＩＴＹ−ＬＡＳＴのように書込まれる。
図９は、先後優先モードのコードの記憶欄を有する否定操作履歴テーブルを示す図であり、本実施形態の場合、画面番号９についてｅＰＲＩＯＲＩＴＹ−ＬＡＳＴが書込まれる。
【００２７】
続いてシステムコントローラ２０１により画面１０が表示され、更に画面１１から画面１３までの画面が表示される。画面の内容は、画面６から画面９にそれぞれ対応し同じである。
ここで、再度「ＳＡＤＦモードを先優先に設定するときは、１度戻るきーを押してください」というメッセージが表示されるので、ユーザーはこのメッセージに従って戻るキーを押下すると、否定操作履歴テーブルに画面番号１３を書込む。そして最新の否定操作に係る画面番号が存在しているか否により、この場合既に画面番号９が存在しているので、画面番号１３の後優先コードｅＰＲＩＯＲＩＴＹ−ＬＡＳＴを先優先コードｅＰＲＩＯＲＩＴＹ−ＦＩＲＳＴに書替え、また否定操作履歴テーブルの画面番号９を削除する。
【００２８】
そして拡張送信画面１４が表示され、画面１４では、ＳＡＤＦモードが反転表示されているので、ＯＫキーを押下すると、ＳＡＤＦモード設定画面１５に変化する。画面１５では、ＳＡＤＦモードを設定しない、が反転表示されているので、上矢印キーで、設定する、を選択すると、ＳＡＤＦモード設定画面１６に変化する。画面１６では、ＳＡＤＦモードを設定するが反転表示されているので、ＯＫキーを押下するとＳＡＤＦモード設定画面１７に変化する。画面１７では、否定操作履歴テーブルの当該画面番号１３の先後優先コードが先優先ｅＰＲＩＯＲＩＴＹ−ＦＩＲＳＴに書替えられているので、設定できませんというメッセージを表示し、２秒後にＳＡＤＦモードを先優先モードにした拡張送信操作画面１８が表示される。
【００２９】
このＳＡＤＦモードの後優先モードを先優先モードに変更するシステムコントローラ側の処理は次のようになる。
図１０は、否定操作履歴の記憶処理のフローを示す図である。
図１０において、この処理がスタートすると、システムコントローラ２０１は、前記画面変化の中でキー操作毎に、戻るキーが押下されたか否かをチェックし（Ｓ１）、押下されたとき、当該画面番号を最新の否定操作テーブルに書込む（Ｓ２）。そして否定操作履歴テーブルにアクセスし最新の否定操作による画面番号が存在しているか否かをチェックし（Ｓ３，Ｓ４）、存在しているときは、最新の否定操作テーブルに記憶している当該画面番号の先後優先コードを逆のコードに書替え（Ｓ５）、否定操作履歴テーブルの該当する画面番号を削除し（Ｓ６）、この処理を終了する。ステップＳ４において最新の否定操作による当該画面番号が存在していないときは、否定操作履歴テーブルに最新の否定操作による画面番号を書込み（Ｓ７）、この処理を終了する。戻るキーが押下されないときは（Ｓ１）、何もしない。
【００３０】
以上は、否定操作を２回行ってＳＡＤＦモードの優先モードを変更する実施形態について説明したが、否定操作回数をしきい値として保持し、このしきい値に達したとき、先優先モード及び後優先モードを変更することができる。
次に、否定操作回数がしきい値に到達したとき優先モードを変更する実施形態について説明する。本実施形態においても画面表示の変化は図６と同じであり、戻るキー操作がしきい値で設定された回数操作されたとき、はじめて図６の画面１４以下の画面が表示されることになる。この変更におけるシステムコントローラにおける処理フローを説明する。
【００３１】
再度図６を参照し、ＳＡＤＦモード設定画面９において、戻るキーが押下され、システムコントローラ２０１がこれを検知すると、画面番号９を否定操作履歴テーブルに書込み、その否定回数を１とする。ＳＡＤＦモード設定画面１３で、再度戻るキーが操作されたことが検知されると、画面番号１３が否定操作履歴テーブルに書込まれ、否定操作回数を２とする。しきい値が２に設定されているので、これと一致するため、先後優先記憶欄の当該画面番号の後優先コード（ｅＰＲＩＯＲＩＴＹ−ＬＡＳＴ）を先優先コード（ｅＰＲＩＯＲＩＴＹ−ＦＩＲＳＴ）に書替える。また否定操作履歴テーブルの画面番号９、及び否定操作回数を削除する。ＳＡＤＦモード設定画面１７で当該画面番号の優先コードが先優先コードに書替えられているので、設定できません、の表示を行う。
【００３２】
図１１は、否定操作回数しきい値テーブルを示す図で、テーブルに予め決められたＮ回、例えば２回、４回などの回数が記憶されている。
図１２は、否定操作が行われた回数を記憶する否定操作回数履歴テーブルを示す図であり、図中、実行された否定操作の画面番号、回数が記憶される。従ってシステムコントローラ２０１は、このしきい値テーブルと否定操作回数履歴テーブルにアクセスしながら画面表示の流れとそれに伴う先後優先コードの書替えを制御する。
【００３３】
図１３は、しきい値に基く優先モードを変更するときの否定操作履歴の記憶処理のフロー図である。図１３によりこの処理を説明すると、この処理がスタートすると、システムコントローラ２０１は、キー操作毎に前記画面変化の中で戻るキーが押下されたか否かをチェックし（Ｓ１１）、押下されたとき、当該画面番号を最新の否定操作テーブルに書込む（Ｓ１２）。そして否定操作履歴テーブルにアクセスし最新の否定操作による画面番号が存在しているか否かをチェックし（Ｓ１３，Ｓ１４）、存在しているときは、否定操作回数履歴テーブル（図１２）の当該画面番号の否定操作回数を１加算する（Ｓ１５）。そして否定操作回数しきい値テーブル（図１１）にアクセスし、否定操作回数がしきい値に達したか否かを判断する（Ｓ１６）。しきい値に達した場合においては、最新の否定操作テーブルに記憶している当該画面番号の先後優先コードを逆のコードに書替え（Ｓ１７）、否定操作履歴テーブルの該当する画面番号を削除し、また否定操作回数履歴テーブルの当該画面番号の否定操作回数を削除し（Ｓ１８）、この処理を終了する。ステップＳ１４において最新の否定操作による当該画面番号が存在していないときは、否定操作履歴テーブルに最新の否定操作による画面番号を書込み、また否定操作回数履歴テーブル（図１２）の当該画面番号の否定操作回数を１加算し（Ｓ１９）、この処理を終了する。戻るキーが押下されないとき（Ｓ１１）、及び否定操作回数がしきい値に達しないときは、何の記憶処理も行わない。
【００３４】
更に本実施形態は、優先モードの変更を最終的に実行するときユーザーに確認を求める。
図１４及び図１５を参照してこの実施形態について説明する。
図１４は、優先モードの変更の確認を求めるときの画面変化を示す図である。図１４において、画面１から画面１３までの表示画面の変化は、図６の画面１乃至画面１３と同じである。即ち、ＳＡＤＦモード設定画面９で戻るキーが押下されたことを検知し、画面番号を否定操作履歴テーブルに書込む。ＳＡＤＦモード設定画面１３で、再度戻るキー操作が行われたことを検知すると、画面番号９が既に否定操作テーブルに書込まれていることを検知し「設定を先優先にしますか」のガイダンスを表示する。ＯＫキーが押下されたら、先後優先記憶欄の当該画面番号の後優先コード（ｅＰＲＩＯＲＩＴＹ−ＬＡＳＴ）を先優先コード（ｅＰＲＩＯＲＩＴＹ−ＦＩＲＳＴ）に書替える。また否定操作履歴テーブルの画面番号９及び否定操作回数を削除する。
【００３５】
画面１３が表示され、戻るキーを押下したとき、戻るキーの操作回数がしきい値に達していたとすると、「設定を先優先にしますか」のメッセージ及び「設定する」が反転表示されたＳＡＤＦモード設定画面１３ａが表示されるので、ユーザーはこれを確認してＯＫキーを押下すると、画面１４が表示され、以下所定のキー操作を行うことにより画面１５乃至画面１８が表示され、優先モードの変更が実行される。ＳＡＤＦ画面１７では、当該画面番号の優先コードが先優先に書替えられているので、設定できません、の表示を行う。
【００３６】
図１５は、優先モードの変更の確認が行われるときの否定操作履歴の記憶処理のフロー図である。図１５に従って説明すると、システムコントローラ２０１は、図１４の画面を表示しキー操作毎に、戻るキーが押下されたか否かをチェックし（Ｓ２１）、押下されたとき、当該画面番号を最新の否定操作テーブルに書込む（Ｓ２２）。そして否定操作履歴テーブルにアクセスし最新の否定操作による画面番号が存在しているか否かをチェックし（Ｓ２３，Ｓ２４）、存在しているときは、否定操作回数履歴テーブルの当該画面番号の否定操作回数を１加算する処理、否定操作回数しきい値テーブルにアクセスし、否定操作回数がしきい値に達したか否かを判断する処理を行った上で、しきい値に達した場合においては、「設定を先優先にしますか」という確認のガイダンスを画面表示する（Ｓ２５）。
【００３７】
設定を先優先モードにすることを確認するＯＫキーが押下されると（Ｓ２６）、最新の否定操作テーブルに記憶している当該画面番号の先後優先コードを逆のコードに書替え（Ｓ２７）、否定操作履歴テーブルの該当する画面番号を削除し、また否定操作回数履歴テーブルの当該画面番号の否定操作回数を削除し（Ｓ２８）、この処理を終了する。ステップＳ２４において最新の否定操作による当該画面番号が存在していないときは、否定操作履歴テーブルに最新の否定操作による画面番号を書込み、また否定操作回数履歴テーブルの当該画面番号の否定操作回数を１加算し（Ｓ２９）、この処理を終了する。戻るキーが押下されないとき（Ｓ２１）、及びガイダンスを表示することの確認がなされないときは（Ｓ２６）、何も行わない。
【００３８】
前記したように本実施形態においては、同一の優先モード変更手続を複数回繰返すことにより変更が安易に行われないようにしているが、変更操作を煩雑化する手法は同一手続を繰返す手法のみに限定されるものではない。
【００３９】
以上述べた先優先モード及び後優先モードの変更の処理を実行させるために、前記処理手順を汎用のプログラム言語によりコンピュータプログラムとして記述し、かつ、このプログラムをフレキシブルディスク、CD−ROM、DVD―ROM、MO等の任意の記録媒体に記録し、これをデジタル複写機のコンピュータに読取らせることで本発明に係る先優先モード及び後優先モードの変更処理を容易に実施することができる。本プログラムは、記録媒体に記録する以外に、インターネット、イントラネット等の任意のネットワークを介して、デジタル複写機のコンピュータに直接読取らせることも可能である。
【図面の簡単な説明】
【００４０】
【図１】本発明が適用されるデジタル複写機の中央部断面構成図である。
【図２】操作部を示す図である。
【図３】操作部の液晶タッチパネルの表示例を示す図である。
【図４】デジタル複写機の制御部のブロック構成図である。
【図５】後から設定されたＳＡＤＦモードを有効にし先に設定された大量原稿モードを無効にする優先モード設定時の表示画面の変化を示す図である。
【図６】後優先のＳＡＤＦモードを先優先に変更するときの画面変化を示す図である。
【図７】最新の否定操作のテーブルを示す図である。
【図８】最新の否定操作の履歴テーブルを示す図である。
【図９】優先モードのコードの記憶欄を有する否定操作履歴テーブルを示す図である。
【図１０】否定操作履歴の記憶処理のフロー図である。
【図１１】否定操作回数しきい値テーブルを示す図である。
【図１２】否定操作が行われた回数を記憶する否定操作回数履歴テーブルを示す図である。
【図１３】しきい値に基く優先モードを変更する処理のフロー図である。
【図１４】優先モード変更の確認を求めるときの画面変化を示す図である。
【図１５】優先モード変更の確認が行われるときの否定操作履歴の記憶処理のフロー図である。
【符号の説明】
【００４１】
１・自動原稿送り装置、２・原稿台、３・給走ローラ、４・給走ベルト、５・排走ローラ、６・コンタクトガラス、７・原稿セット検知器、８・第１トレイ、
１１・第１給紙ユニット、１５・感光体、１７・定着ユニット、１８・排紙ユニット、２７・現像ユニット、５０・読取りユニット、５７・書込みユニット、１００・フィニシャ、１１１・両面搬送ユニット
【図１】
2006087047.tif 000003
【図２】
2006087047.tif 000004
【図３】
2006087047.tif 000005
【図４】
2006087047.tif 000006
【図５】
2006087047.tif 000007
【図６】
2006087047.tif 000008
【図７】
2006087047.tif 000009
【図８】
2006087047.tif 000010
【図９】
2006087047.tif 000011
【図１０】
2006087047.tif 000012
【図１１】
2006087047.tif 000013
【図１２】
2006087047.tif 000014
【図１３】
2006087047.tif 000015
【図１４】
2006087047.tif 000016
【図１５】
2006087047.tif 000017